(57)【要約】      （修正有）【課題】５種類の色温度を組み合わせて照明色温度を得る５色温度切換え回路を提供する。【解決手段】５色温度切換え回路は、投入電源、ＬＥＤドライバ、第１のＬＥＤランプ３１、第２のＬＥＤランプ３２、第３のＬＥＤランプ３３、ダイオードＤ１、ダイオードＤ２、ダイオードＤ３、ダイオードＤ４及びトグルスイッチ４０を備える。投入電源は、ＬＥＤドライバの入力端に接続される。トグルスイッチ４０は、５段のトグルスイッチであり、１２個のインタフェース及び調節段部材を有する。１２個のインタフェースは、インタフェース１〜１２を含む。インタフェース１は、第１のＬＥＤランプ３１の出力端に接続される。ダイオードＤ１の入力端は、インタフェース１に接続される。ダイオードＤ１の出力端は、インタフェース９に接続される。ダイオードＤ２の出力端は、インタフェース８に接続される。ダイオードＤ２の入力端は、インタフェース４に接続される。【選択図】図２
0003226216.tif 000002
【実用新案登録請求の範囲】
【請求項１】
投入電源、ＬＥＤドライバ、第１のＬＥＤランプ、第２のＬＥＤランプ、第３のＬＥＤランプ、ダイオードＤ１、ダイオードＤ２、ダイオードＤ３、ダイオードＤ４及びトグルスイッチを備えた、５色温度切換え回路であって、
前記投入電源は、前記ＬＥＤドライバの入力端に接続され、前記トグルスイッチは、５段のトグルスイッチであり、
前記トグルスイッチは、１２個のインタフェース及び調節段部材を有し、前記１２個のインタフェースは、インタフェース１〜１２を含み、
前記インタフェース１は、前記第１のＬＥＤランプの出力端に接続され、前記ダイオードＤ１の入力端は、前記インタフェース１に接続され、前記ダイオードＤ１の出力端は、前記インタフェース９に接続され、前記ダイオードＤ２の出力端は、前記インタフェース８に接続され、前記ダイオードＤ２の入力端は、前記インタフェース４に接続され、前記ダイオードＤ２の出力端は、前記ダイオードＤ１の出力端に接続され、
前記インタフェースは、前記インタフェース２及び前記インタフェース５にそれぞれ接続され、前記ＬＥＤドライバの出力端正極は、前記第１のＬＥＤランプ、前記第２のＬＥＤランプ及び前記第３のＬＥＤランプにそれぞれ接続され、
前記ＬＥＤドライバの出力端負極は、前記インタフェース２に接続され、
前記第２のＬＥＤランプの出力端は、前記インタフェース３に接続され、
前記ダイオードＤ３の入力端は、前記インタフェース３に接続され、前記ダイオードＤ３の出力端は、前記インタフェース４に接続され、前記ダイオードＤ４の出力端は、前記ダイオードＤ３の出力端に接続され、前記ダイオードＤ４の入力端及び前記第３のＬＥＤランプの出力端は、前記インタフェース６にそれぞれ接続されることを特徴とする、５色温度切換え回路。
【請求項２】
前記インタフェース１〜１２は２列に分けられ、
そのうち一方の１列は、インタフェース１〜６に対応し、他方の１列は、インタフェース７〜１２に対応し、
前記調節段部材の両端には、互いに隣り合う２つのインタフェースがそれぞれ設けられ、全体の前記トグルスイッチが５個の段部材に分けられ、前記トグルスイッチが１段の位置にあるとき、前記調節段部材の一端が前記インタフェース１及び前記インタフェース２に接続され、前記調節段部材の他端が前記インタフェース７及び前記インタフェース８に接続されることを特徴とする請求項１に記載の５色温度切換え回路。
【請求項３】
前記第１のＬＥＤランプの色温度は２７００Ｋであり、
前記第２のＬＥＤランプの色温度は３０００Ｋであり、
前記第３のＬＥＤランプの色温度は５０００Ｋであることを特徴とする請求項１に記載の５色温度切換え回路。
【考案の詳細な説明】
【技術分野】
【０００１】
本考案は、照明装置回路に関するものであり、さらに詳しくは、５色温度切換え回路に関するものである。
【背景技術】
【０００２】
従来から市販されている３色温度切換えのランプには多くのものがあり、それらは２種類の異なる色温度の電球により混色していたが、これらの製品は２種類の色温度切換え機能による混光の精度が十分でなく、また、コストが多くかかるものであった。ランプは応用環境に応じて様々な色温度が要求されるが、販売業者にとって全てのランプを準備しておくことは大きな負担であり、市場の様々な色温度ランプに対するニーズを満たすためには、在庫の負担が大きかったため、ランプの価格が大きく上昇し、これをカバーする安価で便利な方法も提案されていなかった。従来のランプには改善が求められていた。
【考案の概要】
【考案が解決しようとする課題】
【０００３】
従って、本考案の課題は、前記の如き従来技術の問題点を改善することが可能な５色温度切換え回路を提供することにある。
【課題を解決するための手段】
【０００４】
そこで、本考案者は、本考案の前記課題を解決するため、鋭意検討を重ねたところ、ＬＥＤドライバ、複数のＬＥＤランプ、複数のダイオード、トグルスイッチとを少なくとも用いることにより、前記課題を解決できる点に着目し、かかる知見に基いて本考案に想到するに至った。
すなわち、上記課題を解決するために、本考案の第１の形態によれば、投入電源、ＬＥＤドライバ、第１のＬＥＤランプ、第２のＬＥＤランプ、第３のＬＥＤランプ、ダイオードＤ１、ダイオードＤ２、ダイオードＤ３、ダイオードＤ４及びトグルスイッチを備えた、５色温度切換え回路であって、前記投入電源は、前記ＬＥＤドライバの入力端に接続され、前記トグルスイッチは、５段のトグルスイッチであり、前記トグルスイッチは、１２個のインタフェース及び調節段部材を有し、前記１２個のインタフェースは、インタフェース１〜１２を含み、前記インタフェース１は、前記第１のＬＥＤランプの出力端に接続され、前記ダイオードＤ１の入力端は、前記インタフェース１に接続され、前記ダイオードＤ１の出力端は、前記インタフェース９に接続され、前記ダイオードＤ２の出力端は、前記インタフェース８に接続され、前記ダイオードＤ２の入力端は、前記インタフェース４に接続され、前記ダイオードＤ２の出力端は、前記ダイオードＤ１の出力端に接続され、前記インタフェースは、前記インタフェース２及び前記インタフェース５にそれぞれ接続され、前記ＬＥＤドライバの出力端正極は、前記第１のＬＥＤランプ、前記第２のＬＥＤランプ及び前記第３のＬＥＤランプにそれぞれ接続され、前記ＬＥＤドライバの出力端負極は、前記インタフェース２に接続され、前記第２のＬＥＤランプの出力端は、前記インタフェース３に接続され、前記ダイオードＤ３の入力端は、前記インタフェース３に接続され、前記ダイオードＤ３の出力端は、前記インタフェース４に接続され、前記ダイオードＤ４の出力端は、前記ダイオードＤ３の出力端に接続され、前記ダイオードＤ４の入力端及び前記第３のＬＥＤランプの出力端は、前記インタフェース６にそれぞれ接続されることを特徴とする５色温度切換え回路を提供する。
【０００５】
前記インタフェース１〜１２は２列に分けられ、そのうち一方の１列は、インタフェース１〜６に対応し、他方の１列は、インタフェース７〜１２に対応し、前記調節段部材の両端には、互いに隣り合う２つのインタフェースがそれぞれ設けられ、全体の前記トグルスイッチが５個の段部材に分けられ、前記トグルスイッチが１段の位置にあるとき、前記調節段部材の一端が前記インタフェース１及び前記インタフェース２に接続され、前記調節段部材の他端が前記インタフェース７及び前記インタフェース８に接続されることが好ましい。
【０００６】
前記第１のＬＥＤランプの色温度は２７００Ｋであり、前記第２のＬＥＤランプの色温度は３０００Ｋであり、前記第３のＬＥＤランプの色温度は５０００Ｋであることが好ましい。
【０００７】
かくして、本考案の要旨は、次の（１）〜（３）に記載の通りのものである。
【０００８】
（１）投入電源、ＬＥＤドライバ、第１のＬＥＤランプ、第２のＬＥＤランプ、第３のＬＥＤランプ、ダイオードＤ１、ダイオードＤ２、ダイオードＤ３、ダイオードＤ４及びトグルスイッチを備えた、５色温度切換え回路であって、
前記投入電源は、前記ＬＥＤドライバの入力端に接続され、前記トグルスイッチは、５段のトグルスイッチであり、
前記トグルスイッチは、１２個のインタフェース及び調節段部材を有し、前記１２個のインタフェースは、インタフェース１〜１２を含み、
前記インタフェース１は、前記第１のＬＥＤランプの出力端に接続され、前記ダイオードＤ１の入力端は、前記インタフェース１に接続され、前記ダイオードＤ１の出力端は、前記インタフェース９に接続され、前記ダイオードＤ２の出力端は、前記インタフェース８に接続され、前記ダイオードＤ２の入力端は、前記インタフェース４に接続され、前記ダイオードＤ２の出力端は、前記ダイオードＤ１の出力端に接続され、
前記インタフェースは、前記インタフェース２及び前記インタフェース５にそれぞれ接続され、前記ＬＥＤドライバの出力端正極は、前記第１のＬＥＤランプ、前記第２のＬＥＤランプ及び前記第３のＬＥＤランプにそれぞれ接続され、
前記ＬＥＤドライバの出力端負極は、前記インタフェース２に接続され、
前記第２のＬＥＤランプの出力端は、前記インタフェース３に接続され、
前記ダイオードＤ３の入力端は、前記インタフェース３に接続され、前記ダイオードＤ３の出力端は、前記インタフェース４に接続され、前記ダイオードＤ４の出力端は、前記ダイオードＤ３の出力端に接続され、前記ダイオードＤ４の入力端及び前記第３のＬＥＤランプの出力端は、前記インタフェース６にそれぞれ接続されることを特徴とする５色温度切換え回路。
【０００９】
（２）前記インタフェース１〜１２は２列に分けられ、
そのうち一方の１列は、インタフェース１〜６に対応し、他方の１列は、インタフェース７〜１２に対応し、
前記調節段部材の両端には、互いに隣り合う２つのインタフェースがそれぞれ設けられ、全体の前記トグルスイッチが５個の段部材に分けられ、前記トグルスイッチが１段の位置にあるとき、前記調節段部材の一端が前記インタフェース１及び前記インタフェース２に接続され、前記調節段部材の他端が前記インタフェース７及び前記インタフェース８に接続されることを特徴とする前記（１）に記載の５色温度切換え回路。
【００１０】
（３）前記第１のＬＥＤランプの色温度は２７００Ｋであり、
前記第２のＬＥＤランプの色温度は３０００Ｋであり、
前記第３のＬＥＤランプの色温度は５０００Ｋであることを特徴とする前記（１）に記載の５色温度切換え回路。
【考案の効果】
【００１１】
本考案の５色温度切換え回路は、色温度が異なる３種類のＬＥＤランプを配設し、４個のダイオード及びトグルスイッチ４０を組み合わせることにより、ランプは、５種類の色温度を組み合わせて照明色温度を得ることができ、混光の精度が高く、融通性が高い上、使用者は実際の必要に応じて選択することができるため、実用的価値が高く、普及させる価値がある。
【図面の簡単な説明】
【００１２】
【図１】本考案の一実施形態に係る５色温度切換え回路を示す回路図である。
【図２】本考案の一実施形態に係る５色温度切換え回路を示す回路図である。
【考案を実施するための形態】
【００１３】
本考案の技術手段及びそれにより達成可能な効果を、より完全かつ明白に開示するために、開示した添付の図面及び符号と併せて本考案を以下に詳説する。もっとも、本考案は、かかる図面等により限定されるものではない。
【００１４】
図１及び図２を参照する。図１及び図２に示すように、本考案の一実施形態に係る５色温度切換え回路は、５種類の色温度のランプに用いられ、使用者は実際の必要性に応じて自由に調整することができる。本考案の一実施形態に係る５色温度切換え回路は、投入電源１０、ＬＥＤドライバ２０、第１のＬＥＤランプ３１、第２のＬＥＤランプ３２、第３のＬＥＤランプ３３、ダイオードＤ１、ダイオードＤ２、ダイオードＤ３、ダイオードＤ４及びトグルスイッチ４０を含む。上述した投入電源１０は、ＬＥＤドライバ２０の入力端に接続される。上述したトグルスイッチ４０は、５段のトグルスイッチであり、トグルスイッチ４０の段を変えることにより、第１のＬＥＤランプ３１、第２のＬＥＤランプ３２、第３のＬＥＤランプ３３の動作状態を変え、５種類の照明色温度が得られる。第１のＬＥＤランプ３１の色温度は２７００Ｋであり、第２のＬＥＤランプ３２の色温度は３０００Ｋであり、第３のＬＥＤランプ３３の色温度は５０００Ｋである。
【００１５】
上述したトグルスイッチ４０は、１２個のインタフェース及び調節段部材を有する。１２個のインタフェースは、インタフェース１〜１２を含む。上述したインタフェース１〜１２は２列に分けられる。一方の１列は、インタフェース１〜６に対応し、他方の１列は、インタフェース７〜１２に対応する。上述した調節段部材の両端には、互いに隣り合う２つのインタフェースがそれぞれ設けられ、全体のトグルスイッチ４０が５個の段部材に分けられる。トグルスイッチ４０が１段の位置にあるとき、調節段部材の一端がインタフェース１及びインタフェース２に接続され、調節段部材の他端がインタフェース７及びインタフェース８に接続される。
【００１６】
インタフェース１は、第１のＬＥＤランプ３１の出力端に接続される。ダイオードＤ１の入力端は、インタフェース１に接続される。ダイオードＤ１の出力端は、インタフェース９に接続される。上述したダイオードＤ２の出力端は、インタフェース８に接続される。ダイオードＤ２の入力端は、インタフェース４に接続される。上述したダイオードＤ２の出力端は、ダイオードＤ１の出力端に接続される。上述したインタフェース１０は、インタフェース２及びインタフェース５にそれぞれ接続される。上述したＬＥＤドライバ２０の出力端正極は、第１のＬＥＤランプ３１、第２のＬＥＤランプ３２及び第３のＬＥＤランプ３３にそれぞれ接続される。上述したＬＥＤドライバ２０の出力端負極は、インタフェース２に接続される。上述した第２のＬＥＤの出力端は、インタフェース３に接続される。上述したダイオードＤ３の入力端は、インタフェース３に接続される。ダイオードＤ３の出力端は、インタフェース４に接続され、上述したダイオードＤ４の出力端は、ダイオードＤ３の出力端に接続される。上述したダイオードＤ４の入力端及び第３のＬＥＤランプ３３の出力端は、インタフェース６にそれぞれ接続される。
【００１７】
実際に作動させる際、高速トグルスイッチ４０の調節段部材は、ランプの照明を変えることができる。
（１）トグルスイッチ４０を１段にすると、ＬＥＤドライバ２０がＤ１に電流を通し、第１のＬＥＤランプ３１が点灯し、第２のＬＥＤランプ３２及び第３のＬＥＤランプ３３が点灯しないとき、ランプ全体の色温度は２７００Ｋとなる。
（２）トグルスイッチ４０を２段にすると、第２のＬＥＤランプ３２が点灯し、第１のＬＥＤランプ３１及び第３のＬＥＤランプ３３が点灯しないとき、ランプ全体の色温度は３０００Ｋとなる。
（３）トグルスイッチ４０を３段にすると、ＬＥＤドライバ２０がＤ１、Ｄ２及びＤ４に電流を通し、第１のＬＥＤランプ３１、第２のＬＥＤランプ３２及び第３のＬＥＤランプ３３が同時に点灯するとき、ランプ全体の色温度は３５００Ｋとなる。
（４）トグルスイッチ４０を４段にすると、ＬＥＤドライバ２０がＤ３，Ｄ４に電流を通し、第２のＬＥＤランプ３２及び第３のＬＥＤランプ３３が同時に点灯し、第１のＬＥＤランプ３１が点灯しないとき、ランプ全体の色温度は４０００Ｋとなる。
（５）トグルスイッチ４０を５段にすると、第２のＬＥＤランプ３２が点灯し、第１のＬＥＤランプ３１及び第３のＬＥＤランプ３３が点灯しないとき、ランプ全体の色温度は５０００Ｋとなる。
【００１８】
上述したことから分かるように、本考案の５色温度切換え回路は、色温度が異なる３種類のＬＥＤランプを配設し、４個のダイオード及びトグルスイッチ４０を組み合わせることにより、ランプは、５種類の色温度を組み合わせて照明色温度を得て、混光の精度が高く、融通性が高い上、使用者は実際の必要に応じて選択することができるため、実用的価値が高く、普及させる価値がある。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  電源
２０  ドライバ
２１  ＬＥＤランプ
２２  ＬＥＤランプ
３１  ＬＥＤランプ
３２  ＬＥＤランプ
３３  ＬＥＤランプ
４０  トグルスイッチ
【図１】
0003226216.tif 000003
【図２】
0003226216.tif 000004